(57)【要約】【課題】  ユーザが表示画像を見た結果、好みの印字濃度に調整することができ、それぞれ、ユーザの目的・用途にあった画像を出力することができる画像通信装置、画像通信装置の制御方法およびプログラムを提供することを目的とするものである。【解決手段】  所定の印刷対象画像を出力する場合における出力濃度を、ユーザが指定するメニューと、上記印刷対象画像とを表示する表示手段と、ユーザによる上記濃度指定に応じて、上記印刷対象画像を出力する場合における濃度を変化させる濃度制御手段とを有する画像通信装置である。【選択図】  図１
2006345086.tif 000002
【特許請求の範囲】
【請求項１】
所定の印刷対象画像を出力する場合における出力濃度を、ユーザが指定するメニューと、上記印刷対象画像とを表示する表示手段と；
ユーザによる上記濃度指定に応じて、上記印刷対象画像を出力する場合における濃度を変化させる濃度制御手段と；
を有することを特徴とする画像通信装置。
【請求項２】
請求項１において、
ユーザの上記濃度指定に応じて、上記表示装置に表示する印刷対象画像の輝度を変化させる輝度変化手段を有することを特徴とする画像通信装置。
【請求項３】
請求項１または請求項２において、
濃度情報の設定値データを記憶する濃度情報設定値記憶手段を有することを特徴とする画像通信装置。
【請求項４】
請求項１または請求項２において、
上記出力濃度をユーザが指定する操作キーを共用することを特徴とする画像通信装置。
【請求項５】
請求項１または請求項２において、
上記印刷対象画像は、ファクシミリ受信画像であることを特徴とする画像通信装置。
【請求項６】
請求項１または請求項２において、
上記印刷対象画像は、ファクシミリ装置の画像読み取り部がスキャンして得た画像であることを特徴とする画像通信装置。
【請求項７】
請求項１または請求項２において、
上記印刷対象画像は、上記ファクシミリ装置に接続されているＰＣから、上記ファクシミリ装置で印刷すべく送信されたプリント画像データであることを特徴とする画像通信装置。
【請求項８】
請求項１または請求項２において、
上記印刷対象画像は、ファクシミリ装置のモデム経由で受信した画像データであることを特徴とする画像通信装置。
【請求項９】
所定の印刷対象画像を出力する場合における出力濃度を、ユーザが指定するメニューと、上記印刷対象画像とを表示する表示工程と；
ユーザによる上記濃度指定に応じて、上記印刷対象画像を出力する場合における濃度を変化させ、記憶手段に記憶する濃度制御工程と；
を有することを特徴とする画像通信装置の制御方法。
【請求項１０】
所定の印刷対象画像を出力する場合における出力濃度を、ユーザが指定するメニューと、上記印刷対象画像とを表示する表示手順と；
ユーザによる上記濃度指定に応じて、上記印刷対象画像を出力する場合における濃度を変化させ、記憶手段に記憶する濃度制御手順と；
を画像通信装置に実行させるプログラム。
【発明の詳細な説明】
【技術分野】
【０００１】
本発明は、ファクシミリ装置等の画像通信装置、画像通信装置の制御方法およびプログラムに関する。
【背景技術】
【０００２】
従来のファクシミリ装置の中には、それに付随している表示画面で、ファクシミリ受信画像等を確認してから、プリントアウトできる装置が知られている。つまり、簡単な操作で表示画面を見ながら上下左右の回転を行ない、ＦＡＸ受信データを、最適な状態で、ディスプレイ上で確認できるディスプレイファクシミリ装置が提案されている（たとえば、特許文献１参照）。
【０００３】
画像を印刷する際に、閲覧時の表示特性情報または環境情報に基づいて、画像処理を実施し、ユーザが閲覧した際の画像と同等の色相や階調、明るさを要する画像を、容易に印刷することが可能な画像記録装置および画像印刷装置が提案されている（たとえば、特許文献２参照）。
【特許文献１】特開平５−１９１６２９号公報
【特許文献２】特開２００３−２２０１２２号公報
【発明の開示】
【発明が解決しようとする課題】
【０００４】
しかし、上記従来例において、ファクシミリ装置における表示画面で見た画像を期待して、印字出力した結果、画像の濃度が異なる場合がある。
【０００５】
たとえば、表示画面で見た受信画像が濃いので、表示画面よりも薄く印字したいと思う場合に、そのまま印字すると、ユーザが欲しない濃度で印字されるので、薄くした画像を送信側が再び送信し、これを印字し、使用すると、最初に印字した濃すぎる印字が不要になるので、色インクやトナー等の消耗品が無駄になるという問題がある。
【０００６】
ファクシミリ画像の受信プリントを考えた場合、送信側において、読み取り濃度を変更することはできるが、受信側では、印字濃度を変更することができない。つまり、従来例は、受信側におけるプリント画像を考慮するものではなく、受信プリントの結果次第では、送信側が再び送信する必要性が生じ、時間的な無駄が生じるという問題がある。
【０００７】
これらの問題を解決するためには、記録側において、表示画面を確認しながら濃度を変更することができる機能を必要とし、表示されているファクシミリ受信画像が薄くかすれている場合には、印字濃度を濃くしたいと考え、逆に、濃すぎる場合には、薄く印刷したいと考え、これを実現できる必要がある。
【０００８】
本発明は、ユーザが表示画像を見た結果、好みの印字濃度に調整することができ、それぞれ、ユーザの目的・用途にあった画像を出力することができる画像通信装置、画像通信装置の制御方法およびプログラムを提供することを目的とするものである。
【課題を解決するための手段】
【０００９】
本発明は、所定の印刷対象画像を出力する場合における出力濃度を、ユーザが指定するメニューと、上記印刷対象画像とを表示する表示手段と、ユーザによる上記濃度指定に応じて、上記印刷対象画像を出力する場合における濃度を変化させる濃度制御手段とを有する画像通信装置である。
【発明の効果】
【００１０】
本発明は、ユーザが表示画像を見て、好みの濃度に調整するので、目的・用途に応じた画像を出力することができるという効果を奏する。
【００１１】
また、本発明は、表示画像を見て、画像の調整を行なうので、ユーザは、望みの濃度の画像を得ることができ、色インクやトナー等の消耗品の無駄な消費がないという効果を奏する。
【発明を実施するための最良の形態】
【００１２】
発明を実施するための最良の形態は、以下の実施例である。
【実施例１】
【００１３】
図１は、本発明の実施例１であるファクシミリ装置１００の構成を示すブロック図である。
【００１４】
ファクシミリ装置１００は、中央制御部（ＣＰＵ）１と、ＲＯＭ２と、ＲＡＭ３と、画像処理部４と、カラープリンタ５と、操作パネル６と、スキャナユニット７と、通信回線インタフェースであるＮＣＵ８と、クロスポイントスイッチ９と、モデム部１０と、ハンドセット１１と、スピーカ１２と、マイク１３と、ＳＲＡＭ１４と、表示部１５とを有する。
【００１５】
ＲＯＭ２は、通信や印刷等の制御を行なう動作プログラムを格納している。ＲＡＭ３は、受信画像、音声、Ｅメール、着信メロディ等、各種データを格納し、ＬＣＤ表示用の表示データを格納し、汎用ワーク領域として使用するＲＡＭである。
【００１６】
画像処理部４は、各種画像データを、プリンタの形式に合わせて変換し、カラープリンタ５に送出し、記録出力する。カラープリンタ５は、受信したファクシミリ画像やＥメール文書／添付画像、コピー画像を出力する機能を有する。操作パネル６は、ダイヤル操作や各種設定を行なう際に使用するキー入力部を有する。
【００１７】
スキャナユニット７は、原稿を光学的に読み取り、画像データに変換する画像読み取り部である。クロスポイントスイッチ９は、ＣＰＵ１の制御によって、アナログ信号経路の接続を切り替えるスイッチである。
【００１８】
モデム部１０は、ＦＡＸ信号受信と、スキャナで読み取った画像と、各種制御信号とをアナログ信号に変調する機能を有するＦＡＸモデムと、データの送受信を行なうデータモデムとによって構成されている。ＳＲＡＭ１４は、各種登録データや、装置電源ＯＦＦ時における内容を、保持する不揮発性メモリである。表示部１５は、各種データの表示を行なう表示部であり、表示用ＲＡＭとして内蔵メモリを持つ。
【００１９】
図２は、実施例１における操作パネル６のイメージ図である。
【００２０】
操作パネル６は、マルチキー２１と、十字キー２２と、決定キー２３とを有する。
【００２１】
マルチキー２１と十字キー２２とは、印刷濃度を選択する印刷濃度選択キーとして機能する。決定キー２３は、キー入力における決定キーである。
【００２２】
図３は、実施例１における表示画面を示すメニューイメージ図である。
【００２３】
図３（１）は、従来のファクシミリ装置の受信画像表示におけるメニューイメージを示す図である。
【００２４】
図３（２）〜図３（５）は、実施例１におけるファクシミリ装置の表示画面のメニューイメージである。
【００２５】
ファクシミリ装置１００は、印刷対象画像を表示する画面において、ユーザが出力濃度を指定するメニューを有する。したがって、ユーザが表示画像を見て、好みの濃度に調整するので、それぞれ目的・用途にあった画像を出力することができる。
【００２６】
印刷対象画像を、表示部１５に表示させた場合に、図３（２）に示すように、このまま印刷すると、薄く印刷されることが分かれば、表示部１５に表示されているメニュー中の「濃く」するキーを押す。これによって、図３（３）に示すように、印刷対象画像が濃く表示される。
【００２７】
つまり、印刷対象画像を出力する場合における出力濃度をユーザが指定するメニュー中に、「薄く」、「濃く」、「印刷実行」のキーが表示され、十字キー２２を使用して、「濃く」のキーを選び、マルチキー２１を押す回数に応じて、印刷対象画像を濃く表示させる。そして、望みの表示濃度になれば、決定キー２３を押下すことによって、表示濃度に応じた印刷濃度で、印刷することができる。
【００２８】
一方、印刷対象画像を、表示部１５に表示させた場合に、図３（４）に示すように、このまま印刷すると濃く印刷され、文面が判りにくくなることが分かれば（特に、グレーや青色等、中間調の色が背景にあると、濃く印刷される傾向が強く出る）、表示部１５に表示されているメニュー中の「薄く」するキーを押すと、図３（５）に示すように、印刷対象画像が薄く表示される。
【００２９】
つまり、印刷対象画像を出力する場合における出力濃度をユーザが指定するメニュー中に、「薄く」、「濃く」、「印刷実行」のキーが表示され、十字キー２２を使用して、「薄く」のキーを選び、マルチキー２１を押す回数に応じて、印刷対象画像を薄く表示させる。そして、望みの表示濃度になれば、決定キー２３を押下すことによって、表示濃度に応じた印刷濃度で、印刷することができる。
【００３０】
図４は、実施例１において、ＲＡＭ３内に記憶されている画像を、表示部１５に表示させるための表示画像処理動作を示すフローチャートである。
【００３１】
従来、カラー画像については、ＪＰＥＧ符号化して通信することができ、白黒画像については、ＭＨ符号化する通信装置が知られ、ここでの説明における実施例は、カラーＦＡＸ受信画像であるとする。
【００３２】
図５は、実施例１において、濃度調整を行った後の印刷対象画像を表示用ＲＡＭ１５２へ転送する転送イメージ図である。
【００３３】
まず、メモリブロック内に蓄積されている符号化された受信画像データを、１ページ単位で抜き出し、復号化（デコード）し、ＲＧＢ画像の非圧縮データに変換し（Ｓ１）、中間バッファとしての表示部用バッファ１５１に格納する（Ｓ２）。表示部用バッファ１５１に格納される画像は、オリジナルの原画像である。
【００３４】
そして、表示部用バッファ１５１のメモリ領域内から、表示部１５に表示するために、表示領域に合わせた画像を切り出すための「窓枠」（以下、「仮想ウィンドウ」という）を生成し（Ｓ３）、仮想ウィンドウから、表示用ＲＡＭ１５２へ展開し、表示する（Ｓ４）。
【００３５】
ファクシミリ装置１００では、ユーザが印刷画像の表示を行なう際に、初めに印刷画像がどのような感じのものであるかを把握することができるように、最初に表示する場合、表示部用バッファ１５１上に格納されているオリジナルデータで表示する。
【００３６】
そして、濃度調整を行なった後に、表示部１５の内蔵メモリに転送する（Ｓ４）際に、パラメータ設定値ｋを反映させることによって、印刷対象画像の濃度を制御する。パラメータ設定値ｋに関しての詳細は後述する。
【００３７】
そして、ユーザが、印刷する操作を実行すると（図３に示す「印刷実行」キーを押すと）、図６に示すＳ１１を実行する。
【００３８】
図６は、実施例１において、表示操作時に表示濃度を処理する動作を示すフローチャートである。
【００３９】
表示データの輝度の変更を行なうには、以下の処理を実行する。
【００４０】
【数１】
2006345086.tif 000003
上記Ｒ’Ｇ’Ｂ’は、生成されるデータ（レッド・グリーン・ブルー）である３色の信号である。上記ＲＧＢは、生成前のデータであり、パラメータ設定値ｋを乗ずることによって、表示データの輝度を変更することができる。
【００４１】
上記式（１）において、値ｋを、ｋ＞１のように、大きくすることによって、画像が明るくなり（輝度が高くなり）、表示濃度が薄くなる。逆に、値ｋを、ｋ＜１のように、小さくすることによって、輝度は暗くなり、表示濃度は濃くなる。
【００４２】
つまり、上記パラメータ設定値ｋの設定を行ない（Ｓ１１）、このときに、デフォルトのパラメータ設定値ｋを、１．０に設定したとする。
【００４３】
そして、印刷対象画像を表示部１５に表示し（Ｓ１２）、メニュー画面において、印刷濃度変更画面を表示し（Ｓ１３）、濃度選択を行ない（Ｓ１４）、濃度の「薄い」を、１回、選択し、決定キー２３を押下すると、パラメータ設定値ｋに、０．１を加える（Ｓ１５）。逆に、濃度の「濃い」を、１回、選択し、決定キー２３を押下すると、パラメータ設定値ｋから０．１を引く（Ｓ１６）。
【００４４】
そして、設定されたパラメータ設定値ｋに応じて、ＲＧＢを変えながら、表示用ＲＡＭ１５２への転送処理（Ｓ４）を行なう（Ｓ１７）。そして、ユーザが希望する濃度になったら、印刷を実行する（Ｓ１８）。なお、前回の印刷時に用いたパラメータ設定値を保存し、この保存されているパラメータ設定値を、次回の印刷時における初期パラメータ値として使用するようにしてもよい。
【００４５】
次に、上記のように決定された画像を印刷する画像処理部４の動作について説明する。
【００４６】
表示用の画像データは、ＲＧＢ（レッド・グリーン・ブルー）の３色の信号であり、各８ビット／画素程度が多く用いられる。
【００４７】
また、プリンタ５において用いられるインクやトナーの色材は、通常、ＣＭＹＫ（シアン・マゼンタ・イエロー・ブラック）の４色が用いられるので、ＲＧＢの画像データは、画像処理部においてＣＭＹＫの画像データに変換される。
【００４８】
ＲＧＢの画像データを、ＣＭＹＫの画像データに変換するマスキング方式の一つを以下に例示する。
【００４９】
【数２】
2006345086.tif 000004
上記式（２）は、良く知られた式であり、
【００５０】
【数３】
2006345086.tif 000005
は、ＲＧＢからＣＭＹＫの画像データに変換する際の行列である。
【００５１】
【数４】
2006345086.tif 000006
は、変換の際に使用する固定値である。
【００５２】
上記式（２）は、上記式（１）を考慮することによって、次の式（３）となる。
【００５３】
【数５】
2006345086.tif 000007
上記式（３）において、パラメータ設定値ｋの値が、ｋ＞１のように、大きくなると、印刷濃度は、薄くなる。逆に、パラメータ設定値ｋの値が、ｋ＜１のように小さくなると、印刷濃度が濃くなる。
【００５４】
図７は、実施例１において、印刷時における処理動作を示すフローチャートである。
【００５５】
記録バッファ上に、上記式（３）に示すようなパラメータ設定値ｋに対応する画像を生成する（Ｓ２１）。そして、パラメータ設定値ｋに応じた画像を印刷する（Ｓ２２）。
【００５６】
ファクシミリ装置１００が、インクジェット方式であれば、色の濃度を表現する場合、一定面積の中に、インクが付着する部分と、付着しない部分とを、多値表現によって指定し、色インクの濃度を擬似的に表現すること等が考えられるが、実施例１において、印刷処理についての詳細な説明を省略する。
【００５７】
なお、手書きによる「かすれ」が存在した場合、濃度を濃くするように、画像処理する際に、画像処理方法によって、かすれた線を太くし、つなげることによって、「かすれ」をなくすことができる。
【００５８】
そして、印刷終了後に、記録バッファ上の印刷に用いた設定値データを削除し、終了する（Ｓ２３）。
【００５９】
実施例１では、画像がカラーＦＡＸ受信画像であることが前提であるが、その他、ＪＰＥＧ圧縮されたカラー画像等、圧縮データを非圧縮データに変換し、処理を行なうこと等によって、スキャナやデジタルカメラ等の画像入力装置で読み込まれた画像についても、実施例１を適用することができる。
【００６０】
なお、モノクロを印字する場合、プリンタのドラフトモードを利用し、薄く印字するようにしてもよい。また、プリンタで同じデータを２度打ちすることによって、濃く印字するようにしてもよい。
【００６１】
なお、上記実施例を、ファクシミリ装置以外の画像通信装置に適用するようにしてもよい。
【００６２】
また、上記実施例をプログラムの発明として把握することができる。つまり、上記実施例は、所定の印刷対象画像を出力する場合における出力濃度を、ユーザが指定するメニューと、上記印刷対象画像とを表示する表示手順と、ユーザによる上記濃度指定に応じて、上記印刷対象画像を出力する場合における濃度を変化させ、記憶手段に記憶する濃度制御手順とを画像通信装置に実行させるプログラムの例である。
【図面の簡単な説明】
【００６３】
【図１】本発明の実施例１であるファクシミリ装置１００の構成を示すブロック図である。
【図２】実施例１における操作パネル６のイメージ図である。
【図３】実施例１における表示画面を示すメニューイメージ図である。
【図４】実施例１において、ＲＡＭ３内に記憶されている画像を、表示部１５に表示させるための表示画像処理動作を示すフローチャートである。
【図５】実施例１において、濃度調整を行った後の印刷対象画像を表示用ＲＡＭ１５２へ転送する転送イメージ図である。
【図６】実施例１において、表示操作時に表示濃度を処理する動作を示すフローチャートである。
【図７】実施例１において、印刷時における処理動作を示すフローチャートである。
【符号の説明】
【００６４】
１００…ファクシミリ装置、
１…ＣＰＵ、
２…ＲＯＭ、
３…ＲＡＭ、
４…プリンタ画像処理部、
５…プリンタ、
６…操作パネル、
７…スキャナユニット、
８…ＮＣＵ、
９…クロスポイントスイッチ、
１４…ＳＲＡＭ、
１５…表示部。
【図１】
2006345086.tif 000008
【図２】
2006345086.tif 000009
【図３】
2006345086.tif 000010
【図４】
2006345086.tif 000011
【図５】
2006345086.tif 000012
【図６】
2006345086.tif 000013
【図７】
2006345086.tif 000014